(57)【要約】【課題】  病室内に隔離された感染患者に防護服を着用することなく面会等することができる施設を提供する。【解決手段】  感染症患者又は擬似患者を隔離するための感染症対応型施設１であって、感染症患者又は擬似患者を隔離するための複数の病室３２（３２ａ〜３２ｅ、３２ｆ〜３２ｊ）と、前記各病室３２（３２ａ〜３２ｅ、３２ｆ〜３２ｊ）に面するように設けられた前記各病室３２（３２ａ〜３２ｅ、３２ｆ〜３２ｊ）に出入りするための廊下３３と、各病室３２（３２ａ〜３２ｅ、３２ｆ〜３２ｊ）の内部の様子を外部から観察可能な観察通路３５と、前記廊下３３に設けられる出入口と、前記観察通路３５に設けられる出入口とを備える。【選択図】  図５
2010047940.tif 000002
【特許請求の範囲】
【請求項１】
感染症患者又は擬似患者を隔離するための感染症対応型施設であって、
感染症患者又は擬似患者を隔離するための複数の病室と、前記各病室に面するように設けられた前記各病室に出入りするための廊下と、各病室の内部の様子を外部から観察可能な観察通路と、前記廊下に設けられる出入口と、前記観察通路に設けられる出入口とを備えることを特徴とする感染症対応型施設。
【請求項２】
前記廊下には、感染症患者又は擬似患者の搬入エリアが連設され、該搬入エリアには、スタッフの待機エリアが連設され、前記搬入エリア及び前記待機エリアには、それぞれ出入口が設けられていることを特徴とする請求項１に記載の感染症対応型施設。
【請求項３】
前記複数の病室は、横並びに一列に設けてなる病室群が少なくとも二列に設けられ、隣接する病室群間に前記廊下が設けられ、前記病室群の各病室に面するように前記観察通路が設けられていることを特徴とする請求項１又は２に記載の感染症対応型施設。
【請求項４】
前記搬入エリアの一部には、感染症患者又は擬似患者の診察・処置室が設けられていることを特徴とする請求項２又は３に記載の感染症対応型施設。
【請求項５】
プレハブ建築物からなることを特徴とする請求項１から４の何れか１項に記載の感染症対応型施設。
【発明の詳細な説明】
【技術分野】
【０００１】
本発明は、感染症対応型施設に関し、特に、感染症の蔓延を防止することができるとともに、工期の短縮化、ローコスト化を図ることができる感染症対応型施設に関する。
【背景技術】
【０００２】
国内において、新型インフルエンザ等の感染症患者（主に飛沫感染や接触感染による患者）やそれらの擬似患者(新型インフルエンザ等の感染症に感染しているかどうか不明な患者)は、感染症法により指定医療機関に搬送して隔離する必要があるが、外国から入国した感染症患者や擬似患者等を指定医療機関に搬送できないような場合（患者数が多すぎて搬送できない場合、病状が重すぎて搬送できない場合等）には、入国する空港の近隣に感染症患者や擬似患者等を隔離できる感染症対応型施設を建設する必要がある。
【０００３】
このような感染症対応型施設の一例が特許文献１に記載されている。この感染症対応型施設（ユニットホスピタル）は、手術室、集中治療室、検査室、診察室、病室、ナースステーション、管理部門、トイレ・浴室、廊下等の設備をユニット化し、これらのユニットを単独又は複数個のモジュールによって構成して互いに連結し、各ユニット毎に独立の給排気設備及び空気浄化装置を設けたものであって、必要に応じてエアテント内に配置されるものである。
【特許文献１】特開平４−３３３７８２号公報
【発明の開示】
【発明が解決しようとする課題】
【０００４】
上記のような構成の感染症対応型施設（ユニットホスピタル）にあっては、手術室、集中治療室、検査室、診察室、病室、ナースステーション、管理部門、トイレ・浴室、廊下等の設備をユニット化して互いに連結することにより、感染症対応型設備（ユニットホスピタル）を構成しているので、工期の短縮化を図ることができる。
【０００５】
しかし、病室を廊下等の他の設備から完全に隔離する機能を備えていないため、面会者が病室内の感染症患者と面会する場合や、スタッフが病室内の感染症患者の様子を確認するような場合等に、防護服を着用しなければならない煩わしさがある。
【０００６】
本発明は、上記のような従来の問題に鑑みなされたものであって、防護服を着用することなく、面会者が病室の感染症患者や擬似患者等に面会したり、スタッフが病室内の感染症患者や擬似患者等の様子を確認することができる感染症対応型施設を提供することを目的とする。
【課題を解決するための手段】
【０００７】
上記のような課題を解決するために、本発明は、以下のような手段を採用している。
すなわち、本発明は、感染症患者又は擬似患者を隔離するための感染症対応型施設であって、感染症患者又は擬似患者を隔離するための複数の病室と、前記各病室に面するように設けられた前記各病室に出入りするための廊下と、各病室の内部の様子を外部から観察可能な観察通路と、前記廊下に設けられる出入口と、前記観察通路に設けられる出入口とを備えることを特徴とする。
【０００８】
本発明の感染症対応型施設によれば、スタッフは、防護服を着用した状態で出入口から廊下に入り、廊下から各病室に出入りすることになる。また、面会者及びスタッフは、防護服を着用しない状態で出入口から観察通路に入り、観察通路から各病室内の感染症患者又は擬似患者と面会したり、各病室内の感染症患者又は擬似患者の様子を観察したりすることができる。
【０００９】
また、本発明は、前記廊下には、感染症患者又は擬似患者の搬入エリアが連設され、該搬入エリアには、スタッフの待機エリアが連設され、前記搬入エリア及び前記待機エリアには、それぞれ出入口が設けられていることを特徴とすることとしてもよい。
【００１０】
本発明の感染症対応型施設によれば、感染症患者又は擬似患者は、出入口から搬入エリアに搬入され、搬入エリアから廊下を介して各病室内に隔離される。また、スタッフは、防護服を着用した状態で待機エリアから出入口を介して搬入エリアに入り、搬入エリアに搬入された感染症患者又は擬似患者と接触することになる。
【００１１】
さらに、本発明は、前記複数の病室は、横並びに一列に設けてなる病室群が少なくとも二列に設けられ、隣接する病室群間に前記廊下が設けられ、前記病室群の各病室に面するように前記観察通路が設けられていることを特徴とすることとしてもよい。
【００１２】
本発明の感染症対応型施設によれば、感染症患者又は擬似患者は、廊下から病室群の各病室内に隔離されることになる。また、スタッフは、防護服を着用した状態で廊下から病室群の各病室内に出入りすることになる。さらに、面会者及びスタッフは、防護服を着用しない状態で観察通路から病室群の各病室内の感染症患者又は擬似患者と面会したり、各病室内の感染症患者又は擬似患者の様子を観察したりすることができる。
【００１３】
さらに、本発明は、前記搬入エリアの一部には、感染症患者又は擬似患者の診察・処置室が設けられていることを特徴とすることとしてもよい。
本発明の感染症対応型施設によれば、感染症患者又は擬似患者は、搬入エリアに搬入された後に、診察・処置室内で所定の診察、処置が行われ、この後に、搬入エリアから廊下を介して各病室内に搬入されることになる。
【００１４】
さらに、本発明は、プレハブ建築物からなることを特徴とすることとしてもよい。
本発明の感染症対応型施設によれば、工期の短縮化を図ることができる。
【発明の効果】
【００１５】
以上、説明したように、本発明の感染症対応型施設によれば、スタッフは、防護服を着用した状態で出入口から廊下に入り、廊下から各病室に出入りすることになる。また、面会者及びスタッフは、防護服を着用しない状態で出入口から観察通路に入り、観察通路から各病室内の感染症患者又は擬似患者と面会したり、各病室内の感染症患者又は擬似患者の様子を観察したりすることができる。従って、面会者が病室内の感染症患者又は擬似患者と面会したり、スタッフが病室内の感染症患者又は擬似患者の様子を観察する場合に、防護服を着用する煩わしさを解消できる。
また、面会者及びスタッフは、各病室内の感染症患者又は擬似患者に接触することなく観察通路から病室内の感染症患者又は擬似患者と面会したり、病室内の感染症患者又は擬似患者の様子を観察することができるので、感染症が蔓延するのを防止できる。
さらに、複数の病室を横並びに一列に設けてなる病室群を少なくとも二列に設けた場合には、面会者及びスタッフが防護服を着用しない状態で、観察通路から病室群の各病室内の感染症患者又は擬似患者と面会したり、各病室内の感染症患者又は擬似患者の様子を観察することができるので、防護服を着用する煩わしさを解消できる。
さらに、プレハブ建築物とすることにより、工期を短縮できる。
【発明を実施するための最良の形態】
【００１６】
以下、図面を参照しながら本発明の実施の形態について説明する。
図１〜図７には、本発明による感染症対応型施設の一実施の形態が示されていて、図１は病室エリアと観察エリアと搬入エリアとスタッフの待機エリアとの関係を示す説明図、図２は病室エリアの各エリアの説明図、図３は病室エリアの病室と廊下との関係を示す説明図、図４は搬入エリア及びスタッフの待機エリアの説明図、図５は感染症対応型施設の全体の平面図、図６は図５のＡ−Ａ線に沿って見た断面図、図７は図５のＢ−Ｂ線に沿って見た断面図である。
【００１７】
すなわち、本実施の形態の感染症対応型施設１は、新型インフルエンザ等の感染症患者（主に飛沫感染や接触感染による患者）やそれらの擬似患者(新型インフルエンザ等の感染症に感染しているかどうか不明な患者)等（以下、「感染症患者等」という。）の隔離に対応可能なプレハブ建築物であって、図５及び図６に示すように、感染症対応型施設１の建設現場に設置される基礎２と、基礎２の上部に立設されて、内側に矩形状の空間４を形成する外壁３と、外壁３の内側の空間４の下部開口を閉塞する複数のパネル材からなる床５と、外壁３の内側の空間４の上部開口を閉塞する複数のパネル材からなる天井６と、外壁３の内側の空間４を複数のエリアに仕切る間仕切り壁７と、天井６の上部に設けられる屋根６５とを備えている。
【００１８】
外壁３は、図１〜図５に示すように、複数のパネル材を角環状に組み立てて構成したものであって、この外壁３によって囲まれる部分に略矩形状の空間４が形成され、この空間４内が間仕切り壁７によって複数のエリアに仕切られている。
【００１９】
間仕切り壁７は、複数のパネル材を所望の形状に組み立てて構成したものであって、この間仕切壁７により、図１に示すように、外壁３の内側の空間４内が、略矩形状の病室エリア１８と、病室エリア１８の周囲（右側の一辺を除く）を囲むように設けられる略コ形状の観察エリア３４と、病室エリア１８の右側に設けられる略矩形状の搬入エリア３６と、病室エリアの１８右側でかつ搬入エリア３６の下側に設けられる略矩形状のスタッフの待機エリア４１とに仕切られている。
【００２０】
病室エリア１８は、図２に示すように、間仕切り壁７によって更に上下方向に３つの略矩形状のエリア１８ａ〜１８ｃに仕切られ、図３に示すように、上側のエリア１８ａ及び下側のエリア１８ｃ内に複数の病室３２（３２a〜３２ｅ、３２ｆ〜３２ｊ）が設けられ、中側のエリア１８ｂによって廊下３３が構成されている。
【００２１】
本実施の形態においては、図３及び図４に示すように、病室エリア１８の上側のエリア１８ａ及び下側のエリア１８ｃ内は、間仕切り壁７によって図３中の左右方向にそれぞれ５つに仕切られ、上側のエリア１８ａ及び下側のエリア１８ｃ内にそれぞれ５つの病室３２ａ〜３２ｅ、３２ｆ〜３２ｊを横並びに独立した状態で設けた病室群がそれぞれ構成され、各病室群の各病室３２ａ〜３２ｅ、３２ｆ〜３２ｊ内に感染症患者等が収容されるようになっている。
【００２２】
病室エリア１８の中側のエリア１８ｂによって構成される廊下３３は、図３及び図４に示すように、各病室３２ａ〜３２ｅ、３２ｆ〜３２ｊに面するように設けられ、この廊下３３を介して感染症患者等を各病室３２ａ〜３２ｅ、３２ｆ〜３２ｊ内に収容したり、スタッフが各病室３２ａ〜３２ｅ、３２ｆ〜３２ｊ内に出入りしたりすることができるようになっている。
【００２３】
各病室３２（３２ａ〜３２ｅ、３２ｆ〜３２ｊ）の内部には、図５に示すように、ベッド５５、洗面台５６、ユニットバス５７等の設備が設けられている。各病室３２（３２ａ〜３２ｅ、３２ｆ〜３２ｊ）に対応する間仕切り壁７の部分（後述する観察廊下３５に面する部分）には、各病室３２（３２ａ〜３２ｅ、３２ｆ〜３２ｊ）内に観察通路３５側から食事等を搬入するためのパスボックス５８がそれぞれ設けられている。
【００２４】
パスボックス５８は、病室３２側と観察通路３５側の両方に２枚のドア（図示せず）が設けられるボックスであって、両方のドアが同時に開かないように（一方のドアを閉め状態で他方のドアが開くように）構成されている。
【００２５】
図５に示すように、各病室３２の廊下３３に面する部分にはバリアである前室５９が設けられ、この前室５９には、廊下３３との間を開閉するドア５９ａと、各病室３２（３２ａ〜３２ｅ、３２ｆ〜３２ｊ）の内部との間を開閉するドア５９ｂの２枚のドアが設けられ、同時に両方のドアが開かないように（一方のドアを閉めた状態で他方のドアが開くように）構成され、廊下３３側からこの前室５９を介してスタッフが各病室３２（３２ａ〜３２ｅ、３２ｆ〜３２ｊ）の内部に出入り可能に構成されている。
【００２６】
図５及び図７に示すように、各病室３２（３２ａ〜３２ｅ、３２ｆ〜３２ｊ）に対応する間仕切り壁７の部分（観察廊下３５に対応する部分）には、はめ殺し窓６０がそれぞれ設けられ、このはめ殺し窓６０を介して観察通路３５から面会者が各病室３２（３２ａ〜３２ｅ、３２ｆ〜３２ｊ）内に収容された感染患者等と面会したり、スタッフが各病室３２（３２ａ〜３２ｅ、３２ｆ〜３２ｊ）内に収容された感染患者等の様子を観察できるようになっている。
【００２７】
廊下３３は、後述する観察通路３５及び各病室３２（３２ａ〜３２ｅ、３２ｆ〜３２ｊ）から完全に独立した状態で設けられ、この廊下３３を介して診察・処置室４２で所定の診察、処置が済んだ感染症患者等を各病室３２（３２ａ〜３２ｅ、３２ｆ〜３２ｊ）内に収容し、又はこの廊下３３を介してスタッフが各病室３２（３２ａ〜３２ｅ、３２ｆ〜３２ｊ）内に出入りするように構成されている。
【００２８】
各病室３２（３２ａ〜３２ｅ、３２ｆ〜３２ｊ）は、感染エリアに構成され、廊下３３は準清潔エリアに構成されている。
【００２９】
搬入エリア３６は、図３に示すように、間仕切り壁７によって図３中の上下方向に３つに仕切られ、図３中の上側の部分で各病室３２ａ〜３２ｅ、３２ｆ〜３２ｊから排出された廃棄物を施設の外部に搬出するバリア３７が構成されている。
【００３０】
搬入エリア３６の図３中の中側の部分は、図４に示すように、間仕切り壁７によって図４中の左右方向に更に２つに仕切られ、図４中の右側の部分で施設の外部から搬入された感染症患者等の診察、処置を行う診察・処置室４２が構成され、左側の部分で各病室３２（３２ａ〜３２ｅ、３２ｆ〜３２ｊ）から排出された廃棄物を一時保管する保管庫４３が構成されている。
【００３１】
搬入エリア３６の図３中の下側の部分は、感染症患者等を施設の外部から施設内に搬入するバリア３９に構成されている。図５に示すように、バリア３９に隣接する外壁３の外側の部分には、感染症患者等を施設内に搬入するためのスロープを備えた出入口５２が設けられている。
【００３２】
搬入エリア３６のバリア３９は、図４に示すように、間仕切り壁７によって図４中の左右方向に更に２つに仕切られ、図４中の右側の部分で風除室４０が構成され、出入口５２からこの風除室４０を介して搬入エリア３６内に感染患者等が搬入されるようになっている。
【００３３】
なお、診察・処置室４２及び保管庫４３は準清潔エリアに構成されている。
【００３４】
図５に示すように、搬入エリア３６には、保管庫４３との間を開閉するドア３９ａと、廊下３３との間を開閉するドア３９ｂと、施設の出入口５２との間を開閉するドア３９ｃと、診察・処置室４２との間を開閉するドア３９ｄの４枚のドアが設けられている。
【００３５】
搬入エリア３６の図４中の下端には、図５に示すように、着衣室５３と脱衣室５４が独立した状態で設けられている。着衣室５３には、搬入エリア３６との間を開閉するドア５３ｂと、スタッフルーム４７との間を開閉するドア５３ａの２枚のドアが設けられ、これらの２枚のドアは同時に開かないように（一方のドアを閉め状態で他方のドアが開くように）構成されている。脱衣室５４には、搬入エリア３６との間を開閉するドア５４ｂと、スタッフルーム４７との間を開閉するドア５４ａの２枚のドアが設けられ、これらの２枚のドアは同時に開かないように（一方のドアを閉め状態で他方のドアが開くように）構成されている。
【００３６】
スタッフの待機エリア４１は、図１〜図４に示すように、病室エリア１８及び搬入エリア３６から完全に独立した状態で設けられている。
スタッフの待機エリア４１は、図４に示すように、間仕切り壁７よって図４中の左右方向に２つに仕切られ、左側の部分でスタッフが待機するスタッフルーム４７が構成され、右側の部分で各種の検査を行う検査室４８が構成されている。図５に示すように、スタッフルーム４７と検査室４８との間は、ドア４７ａによって開閉可能に仕切られている。
【００３７】
スタッフルーム４７の図４中の下端には、図５に示すように、トイレ５０、風除室４９、脱衣室５１、及びユニットシャワー５１ａが独立した状態で設けられている。風除室４９には、スタッフルーム４７との間を開閉するドア４９ａと、観察エリア３４への出入口４５との間を開閉するドア４５ｂの２枚のドアが設けられ、施設の外部から出入口４５、ドア４５ｂ、風除室４９、及びドア４９ａを介してスタッフルーム４７内に出入り可能に構成されている。
【００３８】
なお、スタッフルーム４７、トイレ５０、脱衣室５１は清潔エリアに構成され、検査室４８は準清潔エリアに構成され、風除室４９はバリアに構成されている。
【００３９】
観察エリア３４は、図１〜図５に示すように、病室エリア１８、搬入エリア３６、及びスタッフの待機エリア４１から完全に独立した状態で設けられている。観察エリア３４は、防護服を着用することなく、面会者が各病室３２（３２ａ〜３２ｅ、３２ｆ〜３２ｊ）内に収容された感染症患者等と面会したり、スタッフが各病室３２（３２ａ〜３２ｅ、３２ｆ〜３２ｊ）内に収容された感染症患者等の様子を観察する観察通路３５に構成されている。
なお、観察通路３５は清潔エリアに構成されている。
【００４０】
観察通路３５は、図５中の右下の出入口４５を介して施設の外部から直接に出入り可能に構成され、この出入口４５を介して施設の外部から面会者、スタッフ等が観察通路３５内に出入り可能に構成されている。上記の出入口４５には、観察通路３５との間を開閉するドア４５ａと、前述したスタッフルーム４７との間を開閉するドア４５ｂとが設けられている。観察通路３５に面する外壁３の部分には、複数箇所に開閉窓４６が設けられている。
【００４１】
上記のような構成の感染対応型施設１の給排気系統は、各病室３２（３２ａ〜３２ｅ、３２ｆ〜３２ｊ）内を負圧にすることにより、施設の外部から観察通路３５及び廊下３３内に空気を取り込み、この空気を観察通路３５及び廊下３３から各病室３２（３２ａ〜３２ｅ、３２ｆ〜３２ｊ）内に取り込み、各病室３２（３２ａ〜３２ｅ、３２ｆ〜３２ｊ）内を循環させた後に各病室３２（３２ａ〜３２ｅ、３２ｆ〜３２ｊ）内から施設の外部に排気するように構成されている。
【００４２】
具体的には、図６に示すように、各病室３２（３２ａ〜３２ｅ、３２ｆ〜３２ｊ）の下部（床５の近傍）に排気口６１を設け、観察通路３５及び廊下３３の天井６に施設の外部に連通する給気口６２を設け、観察通路３５と各病室３２（３２ａ〜３２ｅ、３２ｆ〜３２ｊ）との間の間仕切り壁７の天井６側の部分、廊下３３と各前室５９との間の間仕切り壁７の天井６側の部分、及び各病室３２（３２ａ〜３２ｅ、３２ｆ〜３２ｊ）と各前室５９との間の間仕切り壁７の天井側の部分にそれぞれダンパー６３を設ける。
【００４３】
このような構成とすることにより、各病室３２（３２ａ〜３２ｅ、３２ｆ〜３２ｊ）の排気口６１から排気することにより、各病室３２（３２ａ〜３２ｅ、３２ｆ〜３２ｊ）内が負圧となり、施設の外部から空気が観察通路３５の給気口６２及び廊下３３の給気口６２を介して観察通路３５及び廊下３３に取り込まれ、観察通路３５から各ダンパー６３を介して各病室３２（３２ａ〜３２ｅ、３２ｆ〜３２ｊ）内に取り込まれ、又は廊下３３から各ダンパー６３を介して各前室５９内に取り込まれ、各前室５９からダンパー６３を介して各病室３２（３２ａ〜３２ｅ、３２ｆ〜３２ｊ）内に取り込まれ、各病室３２（３２ａ〜３２ｅ、３２ｆ〜３２ｊ）を循環した後に各病室３２（３２ａ〜３２ｅ、３２ｆ〜３２ｊ）から排気口６１を介して直接に施設の外部に排気される。
【００４４】
なお、各前室５９内に取り込まれた空気の一部は、各前室５９の天井６に設けられている排気口６１を介して施設の外部に排気される。
【００４５】
上記のように構成した本実施の形態による感染者対応型施設１においては、感染症患者等は、出入口５２から施設の内部の搬入エリア３６内に搬入され、診察・処置室４２で所定の診察、処置が行われた後に、診察・処置室４２から搬入エリア３６及び廊下３３を介して各病室３２（３２ａ〜３２ｅ、３２ｆ〜３２ｊ）内に搬入され、各病室３２（３２ａ〜３２ｅ、３２ｆ〜３２ｊ）内に前室５９を介して収容される。
【００４６】
この場合、スタッフルーム４７に待機しているスタッフは、着衣室５３で防護服に着替えた後に、外部から搬入された感染症患者等に対して診察・処置室４２で所定の診察、処置を行い、診察・処置室４２から廊下３３を介して前室４９を介して各病室３２（３２ａ〜３２ｅ、３２ｆ〜３２ｊ）内に感染症患者等を収容した後に、各病室３２（３２ａ〜３２ｅ、３２ｆ〜３２ｊ）から前室５９を介して廊下３３側に退出し、廊下３３から搬入エリア３６に戻り、脱衣室５４で防護服を脱いでスタッフルーム４２に戻る。
【００４７】
また、面会者は、施設の外部から出入口４５を介して観察通路３５内に入ることにより、防護服を着用することなく、観察通路３５から各病室３２（３２ａ〜３２ｅ、３２ｆ〜３２ｊ）内に収容されている感染症患者等と面会することができる。さらに、各病室３２（３２ａ〜３２ｅ、３２ｆ〜３２ｊ）内に収容された感染症患者等への食事等の提供は、防護服を着用することなく、観察通路３５からパスボックス５８を介して行うことができる。さらに、各病室３２（３２ａ〜３２ｅ、３２ｆ〜３２ｊ）内に収容された感染症患者等の様子をスタッフが確認する場合には、防護服を着用することなく、観察通路３５から確認することができる。
【００４８】
さらに、本実施の形態の感染症対応型施設１にあっては、基礎２、外壁３、間仕切り壁７、床５、天井６、屋根６５を組み立てて構成したプレハブ建築物であるので、国内に入国する感染症患者等を指定医療機関に移送できないような場合（患者数が多すぎて移送できない場合、病状が重いために移送できない場合等）に、空港の近隣に短期間で建設することができるので、緊急時に十分に対応することができる。
【００４９】
なお、前記の説明においては、感染症対応型施設１をプレハブ建築物で構成したが、プレハブ建築物に限らず、他の建築物によって感染症対応型施設を構成してもよい。
【００５０】
また、前記の説明においては、５つの病室３２（３２ａ〜３２ｅ、３２ｆ〜３２ｊ）を横並びに配置した病室群を２列に設けたが、４つ以下の病室、又は６つ以上の病室を横並びに配置して病室群を構成してもよい。また、病室群は２列に限らず、３列以上に構成してもよい。
【図面の簡単な説明】
【００５１】
【図１】本発明による一実施の形態の感染症対応型施設の病室エリアと観察エリアと搬入エリアとスタッフの待機エリアとの関係を示した説明図である。
【図２】病室エリアの各エリアの説明図である。
【図３】病室エリアの病室と廊下との関係を示した説明図である。
【図４】搬入エリア及びスタッフの待機エリアの説明図である。
【図５】本発明の一実施の形態の感染症対応型施設の全体を示した平面図である。
【図６】図５のＡ−Ａ線に沿って見た断面図である。
【図７】図５のＢ−Ｂ線に沿って見た断面図である。
【符号の説明】
【００５２】
１  感染症対応型施設    ２  基礎                  ３  外壁
４  空間                ５  床                    ６  天井
７  間仕切り壁          １８  病室エリア          １８ａ  上側のエリア
１８ｂ  中側のエリア    １８ｃ  下側のエリア      ３２  病室
３３  廊下              ３４  観察エリア          ３５  観察通路
３６  搬入エリア        ３７  バリア              ３９  バリア
３９ａ  ドア            ３９ｂ  ドア              ３９ｃ  ドア
３９ｄ  ドア            ４０  風邪除室            ４１  スタッフの待機エリア
４２  診察・処置室      ４３  保管庫              ４５  出入口
４５ａ  ドア            ４５ｂ  ドア              ４６  開閉窓
４７  スタッフルーム    ４７ａ  ドア              ４８  検査室
４９  風除室            ４９ａ  ドア              ５０  トイレ
５１  脱衣室            ５１ａ  ユニットシャワー  ５２  出入口
５３  着衣室            ５３ａ  ドア              ５３ｂ  ドア
５４  脱衣室            ５４ａ  ドア              ５４ｂ  ドア
５５  ベッド            ５６  洗面台              ５７  ユニットバス
５８  パスボックス      ５９  前室                ５９ａ  ドア
５９ｂ  ドア            ６０  はめ殺し窓          ６１  排気口
６２  給気口            ６３  ダンパー            ６５  屋根
【図１】
2010047940.tif 000003
【図２】
2010047940.tif 000004
【図３】
2010047940.tif 000005
【図４】
2010047940.tif 000006
【図５】
2010047940.tif 000007
【図６】
2010047940.tif 000008
【図７】
2010047940.tif 000009